(57)【特許請求の範囲】
【請求項１】
携帯端末と通信する複数の基地局と、
前記携帯端末と前記基地局との通信を中継するために前記各基地局に付随して設けられた中継局と、
前記基地局と前記携帯端末との通信を制御する無線網制御装置と、
を備え、
前記無線網制御装置は、
前記各基地局と通信接続可能な中継局を前記各基地局に関連付けて記憶した管理テーブルと、
一の携帯端末を複数の前記基地局で検出した場合に、前記管理テーブルに基づいて、前記複数の基地局に付随する各中継局と通信接続可能な基地局を前記複数の基地局のうちから検索する検索手段と、
前記検索手段にて検索された基地局と前記各中継局との間の通信接続を確立させる制御手段と、を備え、
前記基地局は、複数の中継局から受信する前記携帯端末からの無線信号をダイバーシチ合成する合成手段を備えたことを特徴とする無線網制御システム。
【請求項２】
前記検索手段は、前記携帯端末から受信した電波強度を示す情報に基づいて前記一の携帯端末を検出した場合に、前記電波強度を示す情報を中継した各中継局と通信接続可能な基地局を検索することを特徴とする請求項１に記載の無線網制御システム。
【請求項３】
前記無線網制御装置の制御手段は、前記検索手段にて検索された基地局以外の基地局と前記各中継局との通信接続を切断することを特徴とする請求項１に記載の無線網制御システム。
【請求項４】
前記基地局は、通信接続可能な中継局を示す情報を前記無線網制御装置に送信する中継局情報送信手段を備え、
前記無線網制御装置は、前記基地局から送信された前記通信接続可能な中継局を示す情報に基づいて、前記管理テーブルを更新する管理テーブル更新手段を備えたことを特徴とする請求項１に記載の無線網制御システム。
【請求項５】
携帯端末と通信する複数の基地局と、
前記携帯端末と前記基地局との通信を中継するために前記各基地局に付随して設けられた中継局と、
を備え、
前記基地局は、
他の基地局と通信するための基地局間通信手段と、
自基地局に通信接続可能な中継局を記憶した管理テーブルと、
前記携帯端末を検出した場合に、同じ携帯端末と通信中の他の基地局が存在するか否かを、前記基地局間通信手段にて通信して得られる他の基地局の情報に基づいて判定する判定手段と、
自基地局にて検出した携帯端末と通信中の他の基地局が存在すると判定された場合に、前記管理テーブルに基づいて、自基地局に付随する中継局および前記他の基地局に付随する中継局と通信接続可能な基地局を検索する検索手段と、
前記検索手段にて検索された基地局と前記各中継局との間の通信接続を確立させるように、前記基地局間通信手段を通じて制御信号を通信させる制御手段と、
複数の中継局から受信する前記携帯端末からの無線信号をダイバーシチ合成する合成手段と、
を備えたことを特徴とする無線網制御システム。
【請求項６】
前記判定手段は、前記携帯端末から受信した電波強度を示す情報に基づいて前記一の携帯端末を検出した場合に、同じ携帯端末の電波強度を示す情報を受信している他の基地局が存在するか否かを判定し、
前記検索手段は、前記電波強度を示す情報を中継した各中継局と通信接続可能な基地局を検索することを特徴とする請求項５に記載の無線網制御システム。
【請求項７】
前記基地局の制御手段は、前記検索手段にて検索された基地局以外の基地局と前記各中継局との通信接続を切断するように前記基地局間通信手段を通じて制御信号を通信させることを特徴とする請求項５に記載の無線網制御システム。
【請求項８】
前記基地局は、収容セル内の携帯端末との通信接続に関する情報を前記基地局間通信手段を通じて他の基地局に送信することを特徴とする請求項５に記載の無線網制御システム。
【請求項９】
携帯端末と通信する複数の基地局と、前記携帯端末と前記基地局との通信を中継するために前記各基地局に付随して設けられた中継局とを備えた無線アクセス網を制御する制御装置であって、
前記各基地局と通信接続可能な中継局を前記各基地局に関連付けて記憶した管理テーブルと、
複数の基地局において携帯端末を検出した場合に、前記管理テーブルに基づいて、前記携帯端末を検出した基地局に付随する各中継局と通信接続可能な基地局を前記複数の基地局のうちから検索する検索手段と、
前記複数の基地局のそれぞれに付随した中継局にて中継される前記携帯端末からの無線信号を前記検索手段にて検索された基地局にてダイバーシチ合成させるために、前記基地局と前記各中継局との間の通信接続を確立し、前記各中継局から前記基地局に無線信号を送信させる制御手段と、
を備えたことを特徴とする無線網制御装置。
【請求項１０】
携帯端末と中継局を経由して通信可能な基地局であって、
他の基地局と通信するための基地局間通信手段と、
自基地局に付随する中継局および他の基地局に付随する自基地局に通信接続可能な中継局を記憶した管理テーブルと、
前記携帯端末を検出した場合に、同じ携帯端末と通信中の他の基地局が存在するか否かを、前記基地局間通信手段にて通信して得られる他の基地局の情報に基づいて判定する判定手段と、
自基地局にて検出した携帯端末と通信中の他の基地局が存在すると判定された場合に、前記管理テーブルに基づいて、自基地局に付随する中継局および前記他の基地局に付随する中継局と通信接続可能な基地局を検索する検索手段と、
前記検索手段にて検索された基地局と前記各中継局との間の通信接続を確立させるように、前記基地局間通信手段を通じて制御信号を通信させる制御手段と、
複数の中継局から受信する前記携帯端末からの無線信号をダイバーシチ合成する合成手段と、
を備えたことを特徴とする基地局。
【請求項１１】
携帯端末と通信する複数の基地局と、前記携帯端末と前記基地局との通信を中継するために前記各基地局に付随して設けられた中継局と、を備えた無線アクセス網を制御する制御方法であって、
無線網制御装置が、携帯端末を検出する携帯端末検出ステップと、
前記携帯端末検出ステップにて、複数の基地局が一の携帯端末を検出した場合に、前記各基地局と通信接続可能な中継局を前記各基地局に関連付けて記憶した管理テーブルに基づいて、前記複数の基地局に付随する各中継局と通信接続可能な基地局を前記複数の基地局のうちから検索する検索ステップと、
前記複数の基地局のそれぞれに付随した中継局にて中継される前記携帯端末からの無線信号を前記検索ステップにて検索された基地局にてダイバーシチ合成させるために、前記基地局と前記各中継局との間の通信接続を確立し、前記各中継局から前記基地局に無線信号を送信させる制御ステップと、
を備えたことを特徴とする無線網制御方法。
【請求項１２】
携帯端末と通信する複数の基地局と、前記携帯端末と前記基地局との通信を中継するために前記各基地局に付随して設けられた中継局と、を備えた無線アクセス網を制御する制御方法であって、
前記基地局が、携帯端末を検出する携帯端末検出ステップと、
前記基地局が、前記携帯端末を検出した場合に、同じ携帯端末と通信中の他の基地局が存在するか否かを、他の基地局から取得した情報に基づいて判定する判定ステップと、
自基地局にて検出した携帯端末と通信中の他の基地局が存在すると判定された場合に、自基地局に付随する中継局および他の基地局に付随する自基地局と通信接続可能な中継局を記憶した管理テーブルに基づいて、自基地局に付随する中継局および前記他の基地局に付随する中継局と通信接続可能な基地局を検索する検索ステップと、
前記検索ステップにて検索された基地局と前記各中継局との間の通信接続を確立させるように、前記検索された基地局が他の基地局と通信するための基地局間通信手段を通じて制御信号を通信させる制御ステップと、
複数の中継局から受信する前記携帯端末からの無線信号をダイバーシチ合成する合成ステップと、
を備えたことを特徴とする無線網制御方法。
【発明の詳細な説明】
【技術分野】
【０００１】
本発明は移動体通信システムの無線アクセス網において、機能分散型基地局を用いた場合の通信方法、特に端末が移動しても通信を維持するためのハンドオーバー技術に関するものである。
【背景技術】
【０００２】
現在、携帯電話の用途が、音声に加え、ＷＷＷへのアクセスやテレビ電話など、より帯域を必要とする分野にも広がり、帯域の需要も増加している。これに対応して、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式やＭＣ−ＣＤＭＡ（Ｍｕｌｔｉｃａｒｒｉｅｒ  ＣＤＭＡ）方式に代表される、いわゆる第三世代方式の導入が進んでいる。
【０００３】
需要増加に対応するための方法の１つに、基地局のカバーエリアを小さくして基地局をより多く配置するマイクロセル化がある。ただ、基地局と携帯電話の端末が通信できる範囲であるセルを小さくし、かつ低コスト化のため容量を小さくして、より多くの基地局を配置するマイクロセル化には、以下の２点の問題がある。
【０００４】
１つめの問題点は、セルが小さくなるため、同じ距離を移動した端末が通過するセルの数が増大し、端末が通信しながら、通信相手の基地局を切り替えるハンドオーバー処理の回数を増加し、無線アクセス網全体の基地局や基地局を制御する無線網制御装置のシグナリング負荷が増加することである。特にＷ−ＣＤＭＡ方式では、端末が複数の基地局のセルが重なっている場所にいる間に、複数の基地局と同時に通信を行うことにより無線区間における通信品質を向上させるサイトダイバーシチ（ダイバーシチハンドオーバー）を行う。よって、単なる切り替えを行うハンドオーバー処理を行う場合に比べ、さらに端末と通信を行う全ての基地局の伝送用のハードウェア資源を消費する。特にマイクロセル化を実施した場合、基地局のカバー半径は小さくなるが、無線網制御装置は複数の基地局を収容する性格上、設置される無線網制御装置の数は基地局より遙かに少ない。そのため、携帯電話のコアネットワークと無線網制御装置間の物理的な回線の距離に比べ、無線網制御装置と基地局の間の回線（３ＧＰＰではＩｕｂと呼ばれる）は一般的に長くなる。このとき、サイトダイバーシチにより無線網制御装置と基地局の間のネットワークの帯域が消費されると、無線網制御装置と基地局間により高速な回線が必要で、この回線の距離が長い分コストが上昇する。
【０００５】
２つめの問題点は、ユーザ毎に様々な量の帯域を使用するマルチメディアトラフィック環境下において、小規模基地局が増加すると、基地局毎の使用ハードウェア資源の断片化が生じ、基地局の実質的な使用効率が低下する。例えば、１６チャネル分の音声呼を収容する基地局で、９チャネル分のハードウェア資源が使用されている場合、８チャネル分のハードウェア資源を要するパケット呼が生起しても、その基地局にはハードウェア資源不足で収容不可能になる。これがハードウェア資源の断片化である。大規模基地局のみの場合は、このような断片化による効率低下が少ないが、小規模基地局になるとこのようなハードウェア資源の断片化により、多くのハードウェア資源を消費するサービスを収容できない事態が増加する。
【０００６】
無線網制御装置と基地局の間の回線の負担を軽減した基地局が特許文献１に記載されている。特許文献１に記載された基地局は、基地局のベースバンド処理等の伝送チャネルに関わる信号処理を実施する伝送部と、無線信号を送受信し、基地局内部で使用する有線の信号に変換するアンテナ部とを分離させた構成を有する。この構成により、アンテナ部は小規模基地局よりも少ないコストで実現されるため、セルでカバーするエリアの拡大を安価に行うことができることである。また、伝送部のハードウェア資源を大量にまとめることにより、ハードウェア資源の効率利用を図れる効果がある。
【０００７】
Ｗ−ＣＤＭＡ方式において、この機能分散型の基地局を導入した場合の無線アクセス網（ＲＡＮ）の構成図を図１５に示す。Ｗ−ＣＤＭＡ方式の無線アクセス網は、３ＧＰＰ（３ｒｄ  Ｇｅｎｅｒａｔｉｏｎ  Ｐａｒｔｎｅｒｓｈｉｐ  Ｐｒｏｊｅｃｔ）において、ＴＳ（Ｔｅｃｈｎｉｃａｌ  Ｓｐｅｃｉｆｉｃａｔｉｏｎ）２５．４０１  ”ＵＴＲＡＮ  Ｏｖｅｒａｌｌ  Ａｒｃｈｉｔｅｃｔｕｒｅ”として記述されている。本仕様書によると、Ｗ−ＣＤＭＡ方式の無線アクセス網内には、無線アクセス網内の基地局の制御を行う無線網制御装置と、基地局が存在する。
【０００８】
機能分散型基地局をＷ−ＣＤＭＡ方式に適用した場合のシステム構成図を図１５に示す。ここでは簡略化のため２組の主基地局と副基地局を配置した例を示しているが、主基地局および副基地局の数は２組に限定されない。副基地局は主基地局からの下り拡散信号を無線信号に変換する。一方、端末からの上り無線信号に関しては、副基地局は拡散信号のまま接続された主基地局に出力する。図１５では主基地局と副基地局はそれぞれ一対一対応であるが、実際には１個の主基地局に対し複数の副基地局が配置される。これにより主基地局のハードウェア資源を大容量化させ、ハードウェア資源の断片化による損失を低減することができる。
【０００９】
また、端末が複数のセルの副基地局とサイトダイバーシチを実施する際に、それら全ての副基地局が同じ主基地局に属する場合は、主基地局において端末からの上り無線信号を合成するマクロダイバーシチ合成処理（ＭＤＣ、Ｍａｃｒｏ  Ｄｉｖｅｒｓｉｔｙ  Ｃｏｍｂｉｎｉｎｇ）を行うことが可能である。この場合、無線網制御装置と主基地局との間の回線を消費する帯域は、ＭＤＣを行わない場合と同じとなる。このような機能分散型基地局を用いず、小規模基地局のみで無線アクセス網を構成する場合は、ＭＤＣは無線網制御装置で実施される。そのため、端末から無線網制御装置に対する無線信号は、サイトダイバーシチの対象となる全ての小規模基地局を経由するため、機能分散型基地局に比べサイトダイバーシチの対象となる基地局の数の分だけ増加する。
【００１０】
図１５において、無線網制御装置１５０１は、無線アクセス網内の機器を制御する機能を有する。第一主基地局１５０２ａ、第二主基地局１５０２ｂは無線網制御装置１５０１によって制御され、端末からの信号のベースバンド処理等の信号処理と無線網制御装置１５０１への伝送を行う。第一主基地局１５０２ａ、第二主基地局１５０２ｂはそれぞれ異なった範囲のセルを持っている。以下の説明では、第一主基地局１５０２ａ、第二主基地局１５０２ｂを総称して主基地局１５０２という。主基地局１５０２は、通常の基地局（３ＧＰＰ規格におけるＮｏｄｅ  Ｂ）と同じ形式で無線網制御装置１５０１との通信を行う。副基地局１５０３ａ、１５０３ｂは主基地局１５０２ａ、１５０２ｂに接続され、アナログ無線信号を有線信号に変換し主基地局１５０２ａ、１５０２ｂに伝送する。以下の説明では、副基地局１５０３ａ、副基地局１５０３ｂを総称して副基地局１５０３という。
【００１１】
端末１５０４ａ、端末１５０４ｂは無線通信を行う端末を示す。以下の説明において、端末１５０４ａは移動し、端末１５０４ｂの位置に到達すると仮定する。セル１５０５ａ、セル１５０５ｂはそれぞれ第一副基地局１５０３ａと第二副基地局１５０３ｂのセルである。
【００１２】
図１６、図１７、図１８にそれぞれ無線網制御装置１５０１、主基地局１５０２、副基地局１５０３の内部構成を示す。図１６において、基地局通信部１６０１は、主基地局１５０２との通信を行う。３ＧＰＰのＵＴＲＡＮにおいてはＩｕｂインタフェースとして規定されている。ＵＴＲＡＮ制御部１６０２は、無線アクセス網のノードや端末の管理、制御を行う。全体制御部１６０３は、例えばコアネットワークとの通信、運用管理等を含む無線網制御装置１５０１の制御を行う。
【００１３】
図１７において、無線網制御装置通信部１７０１は、無線網制御装置１５０１との通信を行う。３ＧＰＰのＵＴＲＡＮにおいてはＩｕｂインタフェースとして規定されている。ベースバンド処理部１７０２は、伝送チャネルのベースバンド変調を行う。無線リンク制御部１７０３は、無線網制御装置１５０１から主基地局１５０２までの回線である無線リンクの制御を行う。副基地局通信部１７０４は副基地局１５０３と通信を行う。
【００１４】
図１８において、主基地局通信部１８０１は、主基地局１５０２と通信を行う。送受信制御部１８０２は、主基地局１５０２からの指示に従い、伝送の開始・停止、伝送先の変更を行う。無線通信部１８０３は、無線信号を用いて端末１５０４ａ、１５０４ｂと通信を行う。
【００１５】
図１９、図２０は、無線網制御装置１５０１のＵＴＲＡＮ制御部１６０２で用いるデータ構成を示す。図１９は、端末１５０４ａが通信しているセルを示すＡｃｔｉｖｅ  Ｓｅｔを示す。図１９に示すように、無線網制御装置１５０１は、Ａｃｔｉｖｅ  Ｓｅｔとして、セル（ａ）を示すＰＬＭＮ（Ｐｕｂｌｉｃ  Ｌａｎｄ  Ｍｏｂｉｌｅ  Ｎｅｔｗｏｒｋ、公衆移動通信網の略）内セルＩＤ：（ａ）を格納している。
【００１６】
図２０は、基地局対応表２００１を示す。基地局対応表２００１には、セル毎に、セルのＰＬＭＮ内セルＩＤ、主基地局名称、その主基地局の制御対象となるセル全てのＲＡＮ内セルＩＤが格納される。図２０においては、端末がサイトダイバーシチを実行していないことを想定しているため、ＲＡＮ内セルＩＤの要素数は各々１つである。また、従来例においては、ＰＬＭＮ内セルＩＤの全てが一意に主基地局に対応する。
【特許文献１】特開２００１−４５５３４号
【発明の開示】
【発明が解決しようとする課題】
【００１７】
上記した技術を用いた場合、図１５において端末１５０４ａが、端末１５０４ｂの位置に到達し端末が複数の主基地局１５０２ａ、１５０２ｂをまたがるサイトダイバーシチを開始する場合、必ず無線網制御装置１５０１と第一主基地局１５０２ａおよび第二主基地局１５０２ｂとの間に２回線分が接続される。
【００１８】
詳細を以下に図２１を用いて示す。Ｗ−ＣＤＭＡ方式においては、これらの処理は３ＧＰＰのＲＲＣ（Ｒａｄｉｏ  Ｒｅｓｏｕｒｃｅ  Ｃｏｎｔｒｏｌ、端末と無線網制御装置間のプロトコル、３ＧＰＰ  ＴＳ２５．３３１にて規定される）、ＮＢＡＰ（Ｎｏｄｅ  Ｂ  Ａｐｐｌｉｃａｔｉｏｎ  Ｐａｒｔ、基地局と無線網制御装置間のプロトコル、３ＧＰＰ  ＴＳ２５．４３３にて規定される）にて規定されている。
【００１９】
図１５の無線アクセス網内の全ノード（無線網制御装置１５０１、主基地局１５０２、副基地局１５０３）において、シグナリング・データ伝送に用いる共通チャネルはすでに設定されているものとする。端末１５０４ａは副基地局１５０３ａと主基地局１５０２ａを経由して信号２１０１のように無線網制御装置１５０１と通信を行っているとする。Ｗ−ＣＤＭＡの場合は、個別チャネル（ＤＣＨ：Ｄｅｄｉｃａｔｅｄ  ＣＨａｎｎｅｌ）を用いて通信を行う。個別チャネルとは、端末毎に設定される通信路のことである。
【００２０】
次に、イベント２１０２で端末１５０４ａが端末１５０４ｂの位置まで移動したことを検出する。ここで端末１５０４ｂは、第二主基地局１５０２ｂが第二副基地局１５０３ｂを経由して出力するＣＰＩＣＨ（Ｃｏｍｍｏｎ  ＰＩｌｏｔ  ＣＨａｎｎｅｌ）のパイロット信号を検出すると、端末１５０４ｂが無線網制御装置１５０１に電力測定報告２１０３を出力する。電力測定報告２１０３により、無線網制御装置１５０１がセル（ｂ）での端末１５０４ｂと通信接続可能であることを検出するとともに端末１５０４ｂと通信することを決定し、無線網制御装置１５０１は無線リンク追加要求２１０４、無線リンク追加応答２１０６により個別チャネルを設定する。この場合は、機能分散型の基地局であるため、途中第二主基地局１５０２ｂと第二副基地局１５０３ｂとの間に送受信を開始する信号２１０５がやりとりされる。Ｗ−ＣＤＭＡ方式においてはこの手順はＲＲＣのＲａｄｉｏ  Ｌｉｎｋ  Ａｄｄｉｔｉｏｎ手順（Ｐｒｏｃｅｄｕｒｅ）が用いられる。その結果、信号２１０７のように個別チャネルが設定される。
【００２１】
次に、無線網制御装置１５０１は、サイトダイバーシチ用の通信路（ブランチ）を追加する処理を行う。具体的には、個別チャネルを介してブランチ追加要求２１０８を端末１５０１ｂに対して出力し、端末１５０１ｂが第二主基地局１５０２ｂと第二副基地局１５０３ｂを経由した通信路を開設した後に、無線網制御装置１５０１に対して成功をブランチ追加応答２１０９により通知する。Ｗ−ＣＤＭＡ方式においては、この手順はＲＲＣのＡｃｔｉｖｅ  Ｓｅｔ  Ｕｐｄａｔｅ手順が用いられる。その結果信号２１１０のように伝送路が開設される。
【００２２】
そして、無線網制御装置１５０１は、１）無線網制御装置１５０１−第一主基地局１５０２ａ−第一副基地局１５０３ａ−端末１５０４ｂ、２）無線網制御装置１５０１−第二主基地局１５０２ｂ−第二副基地局１５０３ｂ−端末１５０４ｂの２本の個別チャネルを用いて、サイトダイバーシチを実施する。
【００２３】
このように、無線網制御装置１５０１から２つの主基地局１５０２ａ、１５０２ｂとの間に２本の個別チャネルが使用されるので、より多くの帯域が消費されることになる。
【００２４】
本発明は、端末が主基地局をまたがった移動を行う場合でも、無線網制御装置と主基地局装置間のトラフィックの合計を削減し、さらに無線網制御装置の負荷を削減することを目的とする。
【課題を解決するための手段】
【００２５】
本発明の無線網制御システムは、携帯端末と通信する複数の基地局と、前記携帯端末と前記基地局との通信を中継するために前記各基地局に付随して設けられた中継局とを備え、複数の前記基地局が収容エリア内にある携帯端末を検出した場合に、前記複数の基地局のうちの一の基地局が他の基地局に付随する前記中継局との間の通信接続を確立し、前記一の基地局に付随する中継局および前記他の基地局に付随する中継局から受信する前記携帯端末からの無線信号をダイバーシチ合成する。
【００２６】
このように基地局に付随して中継局が設けられた無線アクセス網において、複数の基地局において一の携帯端末を検出した場合に、複数の基地局のうちの一の基地局が、当該一の携帯端末と通信中の各中継局と通信接続を確立し、一の基地局に携帯端末からの無線信号を送信する。そして、一の基地局が複数の中継局から受信した無線信号をダイバーシチ合成し、合成された無線信号を無線網制御装置に送信することにより、基地局と無線網制御装置との間のトラフィックを削減すると共に、無線網制御装置の負荷を軽減できる。
【００２７】
また、本発明の無線網制御システムは、前記基地局と前記携帯端末との通信を制御する無線網制御装置を備え、前記無線網制御装置は、前記各基地局と通信接続可能な中継局を前記各基地局に関連付けて記憶した管理テーブルと、一の携帯端末を複数の前記基地局で検出した場合に、前記管理テーブルに基づいて、前記複数の基地局に付随する各中継局と通信接続可能な基地局を前記複数の基地局のうちから検索する検索手段と、前記検索手段にて検索された基地局と前記各中継局との間の通信接続を確立させる制御手段とを備え、前記基地局は、複数の中継局から受信する前記携帯端末からの無線信号をダイバーシチ合成する合成手段を備えてもよい。
【００２８】
このように、無線網制御装置が、管理テーブルによって各基地局と中継可能な中継局を把握することにより、複数の基地局において一の携帯端末を検出した場合に、当該一の携帯端末と通信中の各中継局と通信接続可能な基地局を検索できる。そして、無線網制御装置は、例えば、検索された基地局にチャネル接続要求を送信することにより、検索された基地局と各中継局との通信接続を確立させ、一の基地局に複数の中継局から受信した無線信号をダイバーシチ合成させることができる。
【００２９】
また、前記検索手段は、前記携帯端末から受信した電波強度を示す情報に基づいて前記一の携帯端末を検出した場合に、前記電波強度を示す情報を中継した各中継局と通信接続可能な基地局を検索してもよい。
【００３０】
このように、携帯端末の電波強度を示す情報に基づいて携帯端末を検出し、複数の基地局において一の携帯端末が検出された場合に、電波強度を示す情報を中継する各中継局と通信接続可能な基地局を検索することにより、検索された基地局においてダイバーシチ合成を行うことができる。
【００３１】
また、前記無線網制御装置の制御手段は、前記検索手段にて検索された基地局以外の基地局と前記各中継局との通信接続を切断してもよい。
【００３２】
このように、検索された基地局以外の基地局と各中継局との通信接続を切断することにより、検索された基地局以外の基地局のリソースを解放して有効に利用することができる。
【００３３】
また、本発明の無線網制御システムにおいて、前記基地局は、通信接続可能な中継局を示す情報を前記無線網制御装置に送信する中継局情報送信手段を備え、前記無線網制御装置は、前記基地局から送信された前記通信接続可能な中継局を示す情報に基づいて、前記管理テーブルを更新する管理テーブル更新手段を備えてもよい。
【００３４】
このように基地局から無線網制御装置に対し、基地局が通信接続可能な中継局を示す情報を送信して無線網制御装置の管理テーブルを更新することにより、基地局と中継局との関係が変化した場合にも、無線網制御装置は、更新された管理テーブルに基づいて、基地局との間のトラフィックを低減するための適切な制御を行うことができる。
【００３５】
また、本発明の無線網制御システムにおいて、前記基地局は、他の基地局と通信するための基地局間通信手段と、自基地局に通信接続可能な中継局を記憶した管理テーブルと、前記携帯端末を検出した場合に、同じ携帯端末と通信中の他の基地局が存在するか否かを、前記基地局間通信手段にて通信して得られる他の基地局の情報に基づいて判定する判定手段と、自基地局にて検出した携帯端末と通信中の他の基地局が存在すると判定された場合に、前記管理テーブルに基づいて、自基地局に付随する中継局および前記他の基地局に付随する中継局と通信接続可能な基地局を検索する検索手段と、前記検索手段にて検索された基地局と前記各中継局との間の通信接続を確立させるように、前記基地局間通信手段を通じて制御信号を通信させる制御手段と、複数の中継局から受信する前記携帯端末からの無線信号をダイバーシチ合成する合成手段とを備えてもよい。
【００３６】
このように、基地局間通信手段にて他の基地局から情報を受信することにより、自基地局の収容セルに存在する携帯端末が他の基地局の収容セルに含まれているか否かを把握できる。そして、基地局は、管理テーブルによって通信接続可能な中継局を把握しているので、自基地局と他基地局の両方の収容セルに含まれる携帯端末からの無線信号を受信可能な一の基地局を検索できる。これにより、基地局は、一の基地局と各中継局との通信接続を確立させ、検索された基地局に複数の中継局から受信した無線信号をダイバーシチ合成させることができる。また、この構成によれば、基地局が、通信接続可能な中継局を把握して制御を行うので、既存の無線網制御装置をそのまま用いることができる。
【００３７】
また、前記判定手段は、前記携帯端末から受信した電波強度を示す情報に基づいて前記一の携帯端末を検出した場合に、同じ携帯端末の電波強度を示す情報を受信している他の基地局が存在するか否かを判定し、前記検索手段は、前記電波強度を示す情報を中継した各中継局と通信接続可能な基地局を検索してもよい。
【００３８】
このように、携帯端末の電波強度を示す情報に基づいて携帯端末を検出し、他の基地局において一の携帯端末が検出された場合に、電波強度を示す情報を中継する各中継局と通信接続可能な基地局を検索することにより、検索された基地局においてダイバーシチ合成を行うことができる。
【００３９】
また、前記基地局の制御手段は、前記検索手段にて検索された基地局以外の基地局と前記各中継局との通信接続を切断するように前記基地局間通信手段を通じて制御信号を通信させてもよい。
【００４０】
このように、検索された基地局以外の基地局と各中継局との通信接続を切断することにより、検索された基地局以外の基地局のリソースを解放して有効に利用することができる。
【００４１】
また、本発明の無線網制御システムにおいて、前記基地局は、収容セル内の携帯端末との通信接続に関する情報を前記基地局間通信手段を通じて他の基地局に送信してもよい。
【００４２】
このように携帯端末との通信接続情報を他の基地局に送信することにより、他の基地局では、ハンドオーバー処理を行うべきか否かを判定できる。
【００４３】
本発明の無線網制御装置は、携帯端末と通信する複数の基地局と、前記携帯端末と前記基地局との通信を中継するために前記各基地局に付随して設けられた中継局とを備えた無線アクセス網を制御する制御装置であって、前記各基地局と通信接続可能な中継局を前記各基地局に関連付けて記憶した管理テーブルと、複数の基地局において携帯端末を検出した場合に、前記管理テーブルに基づいて、前記携帯端末を検出した基地局に付随する各中継局と通信接続可能な基地局を前記複数の基地局のうちから検索する検索手段と、前記複数の基地局のそれぞれに付随した中継局にて中継される前記携帯端末からの無線信号を前記検索手段にて検索された基地局にてダイバーシチ合成させるために、前記基地局と前記各中継局との間の通信接続を確立し、前記各中継局から前記基地局に無線信号を送信させる制御手段とを備えた構成を有する。
【００４４】
この構成により、上記した無線網制御システムと同様に、基地局と無線網制御装置との間のトラフィックを削減すると共に、無線網制御装置の負荷を軽減できる。
【００４５】
本発明の基地局は、携帯端末と中継局を経由して通信可能な基地局であって、他の基地局と通信するための基地局間通信手段と、自基地局に付随する中継局および他の基地局に付随する自基地局に通信接続可能な中継局を記憶した管理テーブルと、前記携帯端末を検出した場合に、同じ携帯端末と通信中の他の基地局が存在するか否かを、前記基地局間通信手段にて通信して得られる他の基地局の情報に基づいて判定する判定手段と、自基地局にて検出した携帯端末と通信中の他の基地局が存在すると判定された場合に、前記管理テーブルに基づいて、自基地局に付随する中継局および前記他の基地局に付随する中継局と通信接続可能な基地局を検索する検索手段と、前記検索手段にて検索された基地局と前記各中継局との間の通信接続を確立させるように、前記基地局間通信手段を通じて制御信号を通信させる制御手段と、複数の中継局から受信する前記携帯端末からの無線信号をダイバーシチ合成する合成手段とを備えた構成を有する。
【００４６】
この構成により、本発明の無線網制御システムと同様に、基地局と無線網制御装置との間のトラフィックを削減すると共に、無線網制御装置の負荷を軽減できる。
【００４７】
本発明の無線網制御方法は、携帯端末と通信する複数の基地局と、前記携帯端末と前記基地局との通信を中継するために前記各基地局に付随して設けられた中継局と、を備えた無線アクセス網を制御する方法であって、前記基地局が、前記携帯端末を検出する携帯端末検出ステップと、複数の前記基地局が収容エリア内にある携帯端末を検出した場合に、前記複数の基地局のうちの一の基地局が他の基地局に付随する前記中継局との間の通信接続を確立するステップと、前記一の基地局が、前記一の基地局に付随する中継局および前記他の基地局に付随する中継局から受信する前記携帯端末からの無線信号をダイバーシチ合成する合成ステップとを備えた構成を有する。
【００４８】
この構成により、本発明の無線網制御システムと同様に、基地局と無線網制御装置との間のトラフィックを削減すると共に、無線網制御装置の負荷を軽減できる。
【００４９】
本発明の別の態様の無線網制御方法は、携帯端末と通信する複数の基地局と、前記携帯端末と前記基地局との通信を中継するために前記各基地局に付随して設けられた中継局と、を備えた無線アクセス網を制御する制御方法であって、無線網制御装置が、携帯端末を検出する携帯端末検出ステップと、前記携帯端末検出ステップにて、複数の基地局が一の携帯端末を検出した場合に、前記各基地局と通信接続可能な中継局を前記各基地局に関連付けて記憶した管理テーブルに基づいて、前記複数の基地局に付随する各中継局と通信接続可能な基地局を前記複数の基地局のうちから検索する検索ステップと、前記複数の基地局のそれぞれに付随した中継局にて中継される前記携帯端末からの無線信号を前記検索ステップにて検索された基地局にてダイバーシチ合成させるために、前記基地局と前記各中継局との間の通信接続を確立し、前記各中継局から前記基地局に無線信号を送信させる制御ステップとを備えた構成を有する。
【００５０】
この構成により、本発明の無線網制御システムと同様に、基地局と無線網制御装置との間のトラフィックを削減すると共に、無線網制御装置の負荷を軽減できる。
【００５１】
本発明の別の態様の無線網制御方法は、携帯端末と通信する複数の基地局と、前記携帯端末と前記基地局との通信を中継するために前記各基地局に付随して設けられた中継局と、を備えた無線アクセス網を制御する制御方法であって、前記基地局が、携帯端末を検出する携帯端末検出ステップと、前記基地局が、前記携帯端末を検出した場合に、同じ携帯端末と通信中の他の基地局が存在するか否かを、他の基地局から取得した情報に基づいて判定する判定ステップと、自基地局にて検出した携帯端末と通信中の他の基地局が存在すると判定された場合に、自基地局に付随する中継局および他の基地局に付随する自基地局と通信接続可能な中継局を記憶した管理テーブルに基づいて、自基地局に付随する中継局および前記他の基地局に付随する中継局と通信接続可能な基地局を検索する検索手段と、前記検索ステップにて検索された基地局と前記各中継局との間の通信接続を確立させるように、前記基地局間通信手段を通じて制御信号を通信させる制御ステップと、複数の中継局から受信する前記携帯端末からの無線信号をダイバーシチ合成する合成ステップとを備えた構成を有する。
【００５２】
この構成により、本発明の無線網制御システムと同様に、基地局と無線網制御装置との間のトラフィックを削減すると共に、無線網制御装置の負荷を軽減できる。
【発明の効果】
【００５３】
本発明は、複数の基地局にて携帯端末を検出した場合に、複数の基地局のうちの一の基地局が、携帯端末を検出した基地局に付随する各中継局との通信接続を確立し、携帯端末からの無線信号を一の基地局に送信し、一の基地局にて複数の中継局から受信した無線信号をダイバーシチ合成するので、基地局と無線網制御装置との間のトラフィックを削減すると共に、無線網制御装置の負荷を軽減できるというすぐれた効果を有する。
【発明を実施するための最良の形態】
【００５４】
以下、本発明の実施の形態の無線制御システムについて説明する。以下の説明では、Ｗ−ＣＤＭＡ方式を前提とするが、無線網制御装置が配下ノードや端末の制御を行う無線アクセス網を有するＧＳＭ、ＭＣ−ＣＤＭＡ方式などにも適用可能である。
【００５５】
（第１の実施の形態）
まず、第１の実施の形態の形態における無線アクセス網の構成図である図１を用いて、全体構成の説明を行う。無線アクセス網には、無線網制御装置１０１と、第一主基地局１０２ａ、第二主基地局１０２ｂと、第一副基地局１０３ａ、第二副基地局１０３ｂと、端末１０４が含まれる。以下の説明では、第一主基地局１０３ａ、第二主基地局１０３ｂを総称して基地局１０３といい、第一副基地局１０３ａ、第二副基地局１０３ｂを総称して副基地局１０３という。主基地局１０３は、請求項の「基地局」に相当する構成である。また、携帯端末１０４の位置を示すため、セル（ａ）内にあるときに携帯端末１０４ａ、セル（ａ）とセル（ｂ）とが重なった部分にあるときに携帯端末１０４ｂという。
【００５６】
副基地局１０３は、主基地局１０２と端末１０４との通信を中継する中継局の役割を果たし、請求項の「中継局」に相当する構成である。無線網制御装置１０１は、無線アクセス網において主基地局１０２と端末１０４の制御を行う。また、無線網制御装置１０１は、主基地局１０２と副基地局１０３の関係を把握し、複数の主基地局１０２に共有されている副基地局１０３からの上り共通チャネルの信号が、複数の経路を経由して無線網制御装置１０１に到達したときは、どちらか一方の信号を選択する。
【００５７】
第一主基地局１０２ａと第二主基地局１０２ｂは、無線網制御１０１の制御に従い、通信チャネルの設定、チャネルの伝送処理、ベースバンド処理、主基地局内のサイトダイバーシチ時のＭＤＣを実施する。第一副基地局１０３ａは、第一主基地局１０２ａに付随している。すなわち、第一副基地局１０３ａは、第一主基地局１０２ａからのパイロット信号を中継してセル（ａ）内にある端末１０４に送信し、端末１０４から送信されたパイロット信号の受信電波強度を示す情報を第一主基地局１０２ａに送信する。同様に、第二副基地局１０３ｂは、第二主基地局１０２ｂに付随している。第二副基地局１０３ｂは、第二基地局１０２ｂの他に、第一基地局１０２ａとも接続されている。第二副基地局１０３ｂは、第一主基地局１０２ａと第二主基地局１０２ｂ両方からの下り拡散信号を加算合成し、無線信号に変換する。一方、端末からの上り無線信号に関しては、第二副基地局１０３ｂは拡散信号のまま第一主基地局１０２ａと第二主基地局１０２ｂの両方に出力する。第二副基地局１０３ｂは、このような信号の合成・分離機能が追加されている点が、従来の副基地局と異なる。
【００５８】
なお、構成上、主基地局と副基地局との間で、ベースバンド処理を行い、主基地局毎にそれぞれが処理を行うチャネルのみを伝送する場合でも本発明の適用は可能である。
【００５９】
端末１０４ａ、端末１０４ｂは無線アクセス網を経由した無線通信を行う。端末１０４ａは、第一副基地局１０３ａとのみ通信を行うことが可能である。一方、端末１０４ｂは、第一副基地局１０３ａおよび第二副基地局１０３ｂの両方と通信が可能であり、本実施の形態においては両者とサイトダイバーシチを実施する。
【００６０】
セル（ａ）は第一副基地局１０３ａ配下のセル、セル（ｂ）は第二副基地局１０３ｂ配下のセルである。無線網制御装置１０１、各主基地局１０２ａ、１０２ｂ、各副基地局１０３ａ、１０３ｂは、通信路１０６ａ、１０６ｂ、１０７ａ、１０７ｂ、１０７ｃによって接続されている。本実施の形態においては、主基地局１０２と副基地局１０３は多対多の関係を持つ。従来は、ＲＡＮ内セルＩＤと副基地局は対応していたが、本実施の形態では、ＲＡＮ内セルＩＤは、主基地局１０２と副基地局１０３との間の通信路に対応することになる。
【００６１】
第１の実施の形態においては、端末１０４ｂが第一副基地局１０３ａと第二副基地局１０３ｂの両方を用いてサイトダイバーシチを行う際に、無線網制御装置１０１と主基地局１０２との間に１チャネル分の信号のみを伝送させるようにする。
【００６２】
そのために、無線網制御装置１０１が、無線網内の伝送制御単位である主基地局１０２と物理的なセルに対応する副基地局１０３の両方の識別子を適切に管理し、端末１０４ｂが無線網制御装置１０１に対してブランチ追加要求を出力したときに無線網制御装置１０１が無線アクセス網内の接続を判定し、第一副基地局１０３ａと第二副基地局１０３ｂが第一主基地局１０２ａと接続されている場合に、第二副基地局１０３ｂからの上り信号を第一主基地局１０２ａ経由で伝送させる。
【００６３】
次に、本実施の形態の無線網制御装置１０１の内部構成を、図２を用いて説明する。図２は無線網制御装置１０１内部の構成図である。
【００６４】
図２において、基地局通信部２０１は、基地局と３ＧＰＰのＩｕｂ通信を行うインタフェースである。ＵＴＲＡＮ制御部２０２は、無線アクセス網（ＵＴＲＡＮ  ：  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の制御を行う機能を有する。本実施の形態において、記述が省略されている無線網制御装置１０１の判定や制御処理は、ＵＴＲＡＮ制御部２０２によって行われる。基地局通信部２０１、ＵＴＲＡＮ制御部２０２、全体制御部２０３の位置づけは、従来技術における基地局通信部１６０１、ＵＴＲＡＮ制御部１６０２、全体制御部１６０３とそれぞれ同じである。
【００６５】
全体制御部２０３は上記以外の無線網制御装置１０１に関する制御を行う機能を有する。例えば、全体制御部２０３は、コアネットワークとの通信制御や、通信接続先の基地局を検索を行う。全体制御部２０３は、請求項の「検索手段」「制御手段」に相当する構成である。網状態データ２０４は、端末管理表２０５と基地局管理表２０６を含み、無線アクセス網の状態の情報を格納する。端末管理表２０５は、制御対象の端末を管理する表である。基地局管理表２０６は、主基地局１０２と各副基地局１０３に収容されるセルとの関連を管理する表である。基地局管理表２０６は、請求項の「管理テーブル」に相当する構成である。
【００６６】
図３は、基地局管理表２０６に格納されたデータの例を示す図である。基地局管理表２０６は、ＰＬＭＮ内セルＩＤとＲＡＮ内セルＩＤとを対応させることによって作成されている。図３に示すように、ＰＬＭＮ内のセルＩＤが（ａ）のセルは、第一主基地局１０２ａ内でのセルＩＤ：１に対応する。ＰＬＭＮ内のセルＩＤが（ｂ）のセルは、第一主基地局１０２ａ内でのセルＩＤ：２に対応し、第二主基地局１０２ｂ内でのセルＩＤ：３に対応する。また、基地局管理表２０６は、各セルのスクランブリングコードの情報を格納している。
【００６７】
ここで、ＰＬＭＮ内セルＩＤは、セルを示す識別子であり、同一コアネットワークに属する全てのセルに一意に割り当てられる識別子である。ＰＬＭＮ内のセルＩＤは、ＲＲＣで用いられるＣｅｌｌ  Ｉｄｅｎｔｉｔｙに対応する。また、無線区間上で副基地局を区別するスクランブリングコードと１対１に対応する。また、ＲＡＮ内セルＩＤは、同じくセルを示す識別子であり、副基地局１０３に対応する識別子である。ＵＴＲＡＮ内で一意に割り当てられる。ＮＢＡＰで用いられるＣ−ＩＤ（Ｃｅｌｌ  ＩＤ）とＬｏｃａｌ  Ｃｅｌｌ  ＩＤに対応する。スクランブリングコードは、ＣＤＭＡのコード変調をする際に用いられる符号の一部であり、基地局毎に割り当てられる。副基地局またはＰＬＭＮ内セルＩＤと１対１対応する。
【００６８】
以下、本発明の実施の形態の無線制御システムの動作について説明する。以下では、Ｗ−ＣＤＭＡ方式における具体的な手順を、（１）無線網の初期設定処理と（２）セル（ａ）からセル（ｂ）へ移動する際のブランチ追加時の処理、（３）セル（ｂ）からセル（ａ）へ移動する際のブランチ追加時の処理の３つに分けて説明する。
【００６９】
Ｗ−ＣＤＭＡ方式においては、無線網制御装置１０１と端末間の通信プロトコルとしてＲＲＣ、無線網制御装置１０１と主基地局間の通信プロトコルとしてＮＢＡＰを用いる。これら２つの通信プロトコルでは、セルＩＤを区別する方法が異なる。
【００７０】
無線網制御装置１０１は、ＲＲＣで用いられるＰＬＭＮ内セルＩＤ、ＵＴＲＡＮ内セルＩＤ、チャネライゼーションコードの情報を有するが、基本的に主基地局１０２はＲＲＣプロトコルの解釈を行わないため、ＰＬＭＮ内セルＩＤを知る手段がない。よって、主基地局はどのスクランブリングコードが他の主基地局と共有されているかの情報を持たない。以下ではこれらを前提として実施の形態の説明を行う。
【００７１】
図４は、無線網制御装置１０１に初期設定の動作を示す図である。本実施の形態の記述対象となる識別子は、前述したＲＡＮ内セルＩＤと、ＰＬＭＮ内セルＩＤと、主基地局を示す識別子の主基地局ＩＤの３つである。主基地局１０２は、予め接続されている副基地局１０３のＲＡＮ内セルＩＤおよびＰＬＭＮ内セルＩＤと、主基地局１０２自身の主基地局ＩＤを把握している。
【００７２】
主基地局１０２の設定が変更された場合、主基地局１０２は、登録予備通知４０１を無線網制御装置１０１に対して出力する。登録予備通知４０１は、ＮＢＡＰにおいてはＡＵＤＩＴ  ＲＥＱＵＩＲＥＤ  ＩＮＤＩＣＡＴＩＯＮとして実装される。無線網制御装置１０１は、登録予備通知４０１に対して、登録要求４０２を登録予備通知４０１の送信元の主基地局１０２に対して出力する。本処理は、無線網制御装置１０１の内部では基地局通信部２０１、ＵＴＲＡＮ制御部２０２によって実施される。
【００７３】
なお、登録要求４０２は主基地局１０２からの登録予備通知４０１がない場合も、無線網制御装置１０１から出力して登録シーケンスを開始することが可能である。登録応答４０３はＮＢＡＰのＡＵＤＩＴ  ＲＥＱＵＩＲＥＤに対応する。
【００７４】
主基地局１０２は、主基地局１０２自身の主基地局ＩＤ、接続された全ての副基地局１０３のＲＡＮ内セルＩＤとＰＬＭＮ内セルＩＤを、登録要求４０２に対する登録応答４０３として無線網制御装置１０１に送信する。ここでは主基地局１０２の全体制御部２０３が基地局管理表２０６の情報を読み出して無線網制御装置１０１に送信する。すなわち、全体制御部２０３は、請求項の「中継局情報送信手段」としての機能を有する。登録応答４０３は、ＮＢＡＰのＡＵＤＩＴ  ＲＥＳＰＯＮＳＥに対応する。例えば、第一主基地局１０２ａの場合、配下のセルが２つあるので、ｉ）主基地局ＩＤ：１、ＰＬＭＮ内セルＩＤ：（ａ）、ＲＡＮ内セルＩＤ：１（ｄｅｆａｕｌｔ）、ii）主基地局ＩＤ：１、ＰＬＭＮ内セルＩＤ：（ｂ）、ＲＡＮ内セルＩＤ：２の二つのＩＤの組合せを送信する。ここで、副基地局１０３が複数の主基地局１０２に接続されているときには、新規にＷ−ＣＤＭＡ網と通信を開始する端末が最初に接続される主基地局（以降、デフォルトの主基地局と記す）の主基地局ＩＤを示すフラグを追加する。
【００７５】
登録応答４０３に対し、無線網制御装置１０１内部では、基地局通信部２０１が登録応答４０３を受信後、ＵＴＲＡＮ制御部２０２が登録応答４０３から各種の識別子を抽出する。ＵＴＲＡＮ制御部２０２は、抽出された識別子を基地局管理表２０６に登録する。基地局管理表２０６に登録応答４０３の主基地局ＩＤが存在しない場合、登録応答４０３内で指定されたセルの数だけ、そのエントリを作成し対応するＰＬＭＮ内セルＩＤとＲＡＮ内セルＩＤの情報を追加する。その結果、基地局管理表２０６の１行目が作成される。基地局管理表２０６の２行目に関しても同様に無線網制御装置１０１と主基地局１０２ｂの間で上記の登録手順を繰り返すことにより作成される。
【００７６】
なお、この登録処理のシーケンスは一例であり、登録された結果が同じであれば運用管理（Ｏ＆Ｍ）システムによって登録する場合でも、本実施の形態と同様の効果が得られることは容易に類推できる。
【００７７】
次に、端末がセル（ａ）からセル（ｂ）に移動する場合の無線制御システムの動作について説明する。まず、概要について説明すると、本実施の形態では、第一副基地局１０３ａと第二副基地局１０３ｂの両方とも第一主基地局１０２ａと接続されているため、端末１０４がセル（ａ）からセル（ｂ）へ移動する場合、第一主基地局１０２ａ内でＭＤＣを実施することで、サイトダイバーシチ時においても無線網制御装置１０１と第一主基地局１０２ａとの間に設定される個別チャネルのみとする。
【００７８】
図５はこの場合のブランチ追加の処理を示すシーケンス図である。以下、図５に従ってブランチ追加処理の説明を行う。信号５０１は、端末１０４ａの個別チャネルの通信路を示す。最初に、端末１０４ａは、第一副基地局１０３ａと第一主基地局１０２ａを経由して無線網制御装置１０１に対して個別チャネルで通信を行っている。このとき、端末１０４ａの通信相手のセルを示すＡｃｔｉｖｅ  Ｓｅｔはセル（ａ）だけである。
【００７９】
端末１０４ａが端末１０４ｂの位置に移動し（イベント５０２）、セル（ｂ）に進入すると、端末１０４ｂは、第二副基地局１０３ｂとの電力測定情報を電力測定報告５０３として無線網制御装置１０１に送信する。
【００８０】
無線網制御装置１０１は、端末１０４ｂから送信された電力測定報告５０３によって、端末１０４ｂがセル（ｂ）に進入すると共に通信接続可能となったことを検出し、サイトダイバーシチの可否を決定する。第二副基地局１０３ｂと端末１０４ｂ間の通信品質が安定し、サイトダイバーシチが可能となると、無線網制御装置１０１は移動先選択処理５０４を実施し、新しい通信路を設定する無線リンク追加要求５０５を第一主基地局１０２ａに対して出力する。追加する無線リンクは、ＲＡＮ内での接続を示す識別子でＵＥ内で一意に決まる無線リンクＩＤによって指定される。無線リンクＩＤはＮＢＡＰのＲＬ  ＩＤに対応し、無線リンク追加要求５０５はＮＢＡＰのＲＡＤＩＯ  ＬＩＮＫ  ＡＤＤＩＴＩＯＮ  ＲＥＱＵＥＳＴに当たる。
【００８１】
ここで、移動先選択処理５０４の詳細について図７を参照しながら説明する。まず、無線網制御装置１０１のＵＴＲＡＮ制御部２０２は、端末１０４ｂが進入したセル（ｂ）のＲＡＮ内セルＩＤを取得する（ＳＴ７０１）。本実施の形態においては、無線リンク追加要求にはＰＬＭＮ内セルＩＤは（ｂ）であるため、セル（ｂ）のデフォルトＲＡＮ内セルＩＤである３がＵＴＲＡＮ制御部２０２によって取得される。
【００８２】
次に、無線網制御装置１０１は、進入セルとＡｃｔｉｖｅ  Ｓｅｔ両方に含まれる主基地局１０２を抽出し、移動先候補リスト２０７に格納する（ＳＴ７０２）。この場合、端末１０４ｂのＡｃｔｉｖｅ  Ｓｅｔはセル（ａ）であり、進入セルはセル（ｂ）なので、この両者に含まれる主基地局１０２は第一主基地局１０２ａであり、基地局管理表（図３参照）から第一主基地局１０２ａが抽出される。
【００８３】
また、Ａｃｔｉｖｅ  Ｓｅｔにセル（ｂ）の識別子を追加する。本実施の形態では、端末１０４ｂのＡｃｔｉｖｅ  Ｓｅｔはセル（ａ）とセル（ｂ）の２つになる。
【００８４】
次に、無線網制御装置１０１は、進入セルとＡｃｔｉｖｅ  Ｓｅｔ両方に含まれる主基地局１０２の有無を判定する（ＳＴ７０３）。本実施の形態では、第一主基地局１０２ａが該当するため、主基地局１０２が有りのフロー（ステップＳＴ７０３でＹＥＳ）に進む。
【００８５】
以下のステップＳＴ７０４〜ＳＴ７０９は、Ａｃｔｉｖｅ  Ｓｅｔのセルが２個以上すでにあり、かつ移動先の主基地局の候補が複数存在する場合に、通信を行う主基地局１０２を１つに絞り込む処理である。本実施の形態の場合は、移動先の主基地局は１つなので、ステップＳＴ７１０においても第一主基地局１０２ａが移動先の主基地局１０２として選択される。
【００８６】
ステップＳＴ７０４〜ステップＳＴ７０９において、複数の主基地局の候補が存在する場合の処理内容を簡単に記述する。この処理では、まず、ステップＳＴ７０４、ＳＴ７０５において、現時点で端末との接続数が最も多い主基地局が選択され、次に、ステップＳＴ７０６で進入セルのデフォルトの主基地局が選択される。その結果、ステップＳＴ７０７、ステップＳＴ７０８、ステップＳＴ７０９に分岐し、各々の場合に適した主基地局が選択され、移動先の主基地局となる。以上が、移動先選択処理５０４の詳細の動作である。
【００８７】
図５に戻って、第一主基地局１０２ａは、無線リンク追加要求５０５に従い、第二副基地局１０３ｂとの送受信を開始した後（信号５０６）、無線網制御装置１０１に対する追加の通信路も確保し、第一主基地局１０２ａにおけるＭＤＣも開始する。その後、第一主基地局１０２ａは、無線リンク追加要求５０５に対する無線リンク追加応答５０７を無線網制御装置１０１に送信する。無線リンク追加応答５０７は、ＮＢＡＰにおけるＲＡＤＩＯ  ＬＩＮＫ  ＡＤＤＩＴＩＯＮ  ＲＥＳＰＯＮＳＥに当たる。以上の処理が終了すると、信号５０８に示すように第一主基地局１０２ａと第二副基地局１０３ｂとの間で個別チャネルの通信が開始され、イベント５０９において第一主基地局１０２ａによる個別チャネルの合成処理が開始される。
【００８８】
無線リンク追加応答５０７が無線網制御装置１０１に入力されると、無線網制御装置１０１は、端末１０４ｂに対して、Ａｃｔｉｖｅ  Ｓｅｔにセル（ｂ）を追加するため、セル（ｂ）を経由する追加対象の無線リンクのスクランブリングコードやＰＬＭＮ内セルＩＤを指定したブランチ追加要求５１０を出力する。ブランチ追加要求は３ＧＰＰ  ＲＲＣのＡＣＴＩＶＥ  ＳＥＴ  ＵＰＤＡＴＥ、追加する無線リンクの情報はＲａｄｉｏ  Ｌｉｎｋ  Ａｄｄｉｔｉｏｎ  Ｉｎｆｏｒｍａｔｉｏｎに対応する。これに対し、端末１０４ｂは、無線網制御装置１０１にブランチ追加応答５１１を出力する。ブランチ追加要求は、３ＧＰＰ  ＲＲＣのＡＣＴＩＶＥ  ＳＥＴ  ＵＰＤＡＴＥ  ＣＯＭＰＬＥＴＥに対応する。
【００８９】
この結果、端末１０４ｂは信号５１２に示すようにブランチ追加要求５１０によって指定された番号のチャネルを用いて、第二副基地局１０３ｂとの通信を開始する。このチャネルは、第一主基地局１０２ａと接続されているので、第一主基地局１０２ａにおけるサイトダイバーシチが可能になる。
【００９０】
次に、端末１０４がセル（ｂ）からセル（ａ）に移動する場合の無線制御システムの動作について説明する。この場合の概要について説明すると、端末１０４の元の位置はセル（ｂ）で、デフォルトの主基地局は第二主基地局１０２ｂであり、移動先のセル（ａ）のデフォルトの主基地局である第一主基地局１０２ａと異なる。そのため、サイトダイバーシチを実施している途中で、無線網制御装置１０１と主基地局１０２との間のチャネルを１本だけにするため、主基地局を第二主基地局１０２ｂから第一主基地局１０２ａへ切り替える。
【００９１】
図６は、端末１０４がセル（ｂ）からセル（ａ）に移動する場合の無線制御システムの動作を示す図である。以下、図６を用いて、処理方法を説明する。セル（ｂ）から端末１０４ｂの位置に移動したとき、端末１０４ｂは第一副基地局１０３ａが出力するパイロット信号を検出し、電力測定報告６０３を出力する。電力測定報告６０３を受けると、無線網制御装置１０１は、端末１０４がセル（ｂ）に進入したことを検出し、移動先を選択する処理を行う。無線網制御装置１０１は、セル（ｂ）における第一主基地局１０２ａと第二主基地局１０２ｂ間（ＲＡＮ内セルＩＤが２と３）と、さらにセル（ａ）を加えたサイトダイバーシチを実施することを決定する。
【００９２】
図７は、移動先選択処理の詳細を示す。この場合は、ＳＴ７０３の判定で、移動先のセル（ａ）の収容基地局と移動前の端末収容基地局の両方に含まれる共通の主基地局を持たず、移動先候補リストの要素がないため、ＳＴ７１１に進む。ＳＴ７１１において、進入セル収容主基地局は、既に端末１０４を収容している副基地局との接続の有無を判定する。本実施の形態の場合は、端末１０４は移動元の第二副基地局１０３ｂに収容されており、第二副基地局１０３ｂは第一主基地局１０２ａと第二主基地局１０２ｂと接続している。一方、移動先のセル（ａ）は、第一主基地局１０２ａと接続している。よって、第一主基地局１０２ａは移動先のセルと移動元のセルの両方と接続があるため、ＳＴ７１１はＹＥＳと判定され、ＳＴ７１２に制御を移す。
【００９３】
ＳＴ７１２では、進入セルを収容する主基地局１０２ａと、移動元のセルをカバーエリアに持つ副基地局１０３ｂとの間の接続を経由する無線リンクを、移動による追加対象の無線リンクに追加する。本実施の形態では、第一主基地局１０２ａと第二副基地局１０３ｂ間の接続を示すＲＡＮ内セルＩＤ：２の接続を用いる無線リンクを追加対象とする。
【００９４】
ＳＴ７１３で主基地局間サイトダイバーシチを開始する。以上で図７の説明を終わる。
【００９５】
図６に戻って、無線網制御装置１０１は、イベント６０４で選択された第一主基地局１０２ａに、第一副基地局１０３ａと第二副基地局１０３ｂ経由の２つの無線リンクを追加する無線リンク追加要求６０５を送信する。無線リンク追加要求６０５を受けると、第一主基地局１０２ａは、要求された無線リンクを追加する処理を信号６０６、６０７の受信開始処理で行う。第一主基地局１０２ａが無線リンク追加応答６０８を無線網制御装置１０１に送信すると、無線網制御装置１０１と第一主基地局１０２ａはイベント６１１でチャネルの合成処理を開始する。無線網制御装置１０１は、第一主基地局１０２ａと第二主基地局１０２ｂの両方からの重複した上り信号を合成するため、必要に応じて信号レベルなどの調整を行う。
【００９６】
以上の処理が終了すると、無線網制御装置１０１はセル（ａ）（ＲＡＮ内セルＩＤ：１）とセル（ｂ）（ＲＡＮ内セルＩＤ：２）のブランチ追加要求６１２を端末１０４ｂに送信する。端末１０４ｂは、ブランチ追加応答６１３を無線網制御装置１０１に送信する。ブランチ追加要求６１２、ブランチ追加応答６１３は、前述したようにＲＲＣのＡＣＴＩＶＥ  ＳＥＴ  ＵＰＤＡＴＥとＡＣＴＩＶＥ  ＳＥＴ  ＵＰＤＡＴＥ  ＣＯＭＰＬＥＴＥに対応する。その結果、信号６１４に示すように、端末１０４ｂはこれらのセルに対して個別チャネルの通信を開始する。
【００９７】
このように、図７のＳＴ７１２による無線リンクを追加した場合は、一時的に副基地局１０３ｂから複数の主基地局１０２ａ、１０２ｂへ無線リンクが設定される。そのため、ブランチが追加された後、このように重複している無線リンクを削除し、無線リンクの重複をなくす処理が必要になる。そこで、無線網制御装置１０１と端末１０４ｂ間のチャネルのうち、余分になる第二主基地局１０２ｂのブランチを削除する処理を行う。
【００９８】
無線網制御装置１０１はセル（ｂ）をカバーエリアとする第二副基地局１０３ｂ経由のチャネルを削除する無線リンク削除要求６１５を第二主基地局１０２ｂに送信する。無線リンク削除応答は、３ＧＰＰのＮＢＡＰではＲＡＤＩＯ  ＬＩＮＫ  ＤＥＬＥＴＩＯＮ  ＲＥＱＵＥＳＴを用いる。
【００９９】
無線リンク削除要求６１５に対して第二主基地局１０２ｂは、要求されたチャネルを削除する処理を行う。信号６１６の受信停止処理が終了すると、第二主基地局１０２ｂが無線リンク削除応答６１７を無線網制御装置１０１に対して出力する。無線リンク削除応答６１６は、３ＧＰＰのＲＲＣではＲＡＤＩＯ  ＬＩＮＫ  ＤＥＬＥＴＩＯＮ  ＲＥＳＰＯＮＳＥを用いる。その結果、イベント６１８でチャネルの合成処理が中止される。
【０１００】
端末１０４が完全に移動先のセルに移った後ブランチ削除を行う場合は、通常のブランチ削除手順（３ＧＰＰ規格のＡｃｔｉｖｅ  Ｓｅｔ  ＵｐｄａｔｅとＲａｄｉｏ  Ｌｉｎｋ  Ｄｅｌｅｔｉｏｎ手順を用いる）と同様にして移動元のセルを通る無線リンクを削除すればよい。
【０１０１】
以上、本実施の形態において、無線網制御装置１０１が配下の主基地局とセルの関係を管理し、端末のブランチ追加要求に対して、適切なチャネル設定を行うことにより、主基地局１０２内のサイトダイバーシチを行うことが可能になり、これにより無線網制御装置１０１と主基地局１０２の間のネットワークの帯域と共に無線網制御装置１０１の処理負荷も削減できる。
【０１０２】
なお、本実施の形態で示したシーケンスは実施の一例であり、一部のシーケンスの順番が変わった場合でも同様の効果が得られることは容易に類推できる。
【０１０３】
（第２の実施の形態）
次に、第２の実施の形態の無線制御システムについて説明する。まず、第２の実施の形態の無線制御システムの概要について説明すると、第２の実施の形態では、主基地局８０２どうしの間に直接の接続を設け、端末１０４がセルを移動したときに主基地局８０２内サイトダイバーシチが可能かどうかを主基地局８０２で判断させ、可能ならば実行する。これにより、無線網制御装置１０１に機能分散型基地局に対応していない既存のものを使用した場合においても、サイトダイバーシチ時に無線網制御装置１０１と主基地局８０２の間のチャネルの数を削減することを可能にする。
【０１０４】
本実施の形態の構成図を図８に示す。図８に示すように、第２の実施の形態の無線制御網は、第１の実施の形態の構成に加え、主基地局８０２ａと主基地局８０２ｂとが通信路８０３によって接続されている。また、第２の実施の形態では、主基地局８０２が主基地局８０２と副基地局１０３との関係を把握しており、無線網制御装置８０１は、従来の無線網制御装置と同じ構成を有し、複数の主基地局８０２に共有されているセルを把握していない。
【０１０５】
主基地局８０２は、主基地局８０２と副基地局１０３との間のネットワークの構成と、周囲の主基地局８０２の配下にある端末１０４を把握する。これにより、端末１０４が移動して新しいセルに入り、無線網制御装置１０１からデフォルトで移動先のセルを制御する主基地局８０２に無線リンク追加要求が出力されたときに、その主基地局８０２が移動元のセルを制御する主基地局８０２と副基地局１０３を共有しているかどうかを判定し、共有している場合には移動元の主基地局８０２経由の無線リンクを追加し、それを無線網制御装置１０１に通知することにより、移動元の主基地局８０２内でのサイトダイバーシチを実現する。
【０１０６】
図９は、主基地局８０２の内部構成を示す図である。主基地局８０２の機能構成については、無線網制御装置接続部１７０１から副基地局通信部１７０４までは図１７に示す従来の基地局１５０２と同様である。ただし、無線リンク制御部１７０３は、自基地局内で検出した携帯端末が他の基地局と通信中か判定する機能、他の基地局に付随する中継局を含む複数の中継局と通信可能な基地局を検索する機能、検索された基地局と各中継局との通信を接続させる機能を有する。無線リンク制御部１７０３は、請求項の「判定手段」「検索手段」「制御手段」に相当する構成である。主基地局通信部９０１は他の主基地局８０２とのインタフェースである。主基地局通信部９０１は、請求項の「基地局間通信手段」に相当する構成である。網状態データ９０２は、主基地局８０２が管理する無線アクセス網のデータである。網状態データ９０２として主副基地局管理表９０３から移動先候補リスト９０７までが格納されている。本実施の形態において網状態データ９０２は、主基地局８０２に配置されているため、第１の実施の形態において無線網制御装置１０１にて管理されるＰＬＭＮ内セルＩＤやＡｃｔｉｖｅ  Ｓｅｔ等のデータは、網状態データに含まれない。網状態データ９０２のうち、主副基地局対応表９０３とセル端末対応表９０４の詳細を以下に説明する。
【０１０７】
図１２は、第二主基地局８０２ｂにおける主副基地局対応表９０３のデータフィールド図である。主副基地局対応表９０３の１行目は、第二主基地局８０２ｂ自身のエントリである。エントリには第二主基地局８０２ｂの配下にあるＲＡＮ内セルＩＤ全てと、「（第二主基地局８０２ｂの）管理外」がある。
【０１０８】
主副基地局対応表９０３の２行目以降には第二主基地局８０２ｂと接続された全ての主基地局８０２のデータが格納される。主副基地局対応表９０３は、請求項の「管理テーブル」に相当する構成である。本実施の形態においては、第二主基地局８０２ｂと接続されているのは第一主基地局８０２ａだけなので、格納されるデータは２行目までである。２行目には、１行目の第二主基地局８０２ｂのセルと同じセルのＲＡＮ内セルＩＤを対応づける。本実施の形態の場合は、第一主基地局８０２ａと第二主基地局８０２ｂがセル（ｂ）を共有しているため、第二主基地局８０２ｂにおけるセル（ｂ）のＲＡＮ内セルＩＤ：３の列に第一主基地局８０２ａにおけるセル（ｂ）のＲＡＮ内セルＩＤ：２を格納する。この他に第一主基地局８０２ａと第二主基地局８０２ｂの間に共有されるセルはないため、第一主基地局８０２ａのセル（ａ）のＲＡＮ内セルＩＤ：１は「管理外」の列に格納される。
【０１０９】
図１３は、第二主基地局８０２ｂにおけるセル端末対応表９０４のデータフィールド図である。１行目はチャネライゼーションコードである。
【０１１０】
ここで、チャネライゼーションコードについて説明する。チャネライゼーションコードとは、ＣＤＭＡのコード変調をする際に用いられる符号の一部であり、基地局１０２毎に割り当てられる。チャネライゼーションコードは、端末ＩＤと１対１対応する。端末ＩＤは、端末を示す識別子である。チャネライゼーションコードも端末毎に割り当てられるので、ベースバンド変調処理以外でチャネライゼーションコードを使っている部分に関しては、端末ＩＤをチャネライゼーションコードの代わりに使用可能である。
【０１１１】
セル端末対応表９０４の２行目は１行目のチャネライゼーションコードに対応する端末が所有する無線リンクそれぞれのセルのＲＡＮ内セルＩＤを示す。サイトダイバーシチの実施中はこのＲＡＮ内セルＩＤの数が複数になる。図１３に示す例では、チャネライゼーションコードｃ１の端末（端末１０４ａを想定）はＲＡＮ内セルＩＤ：３、チャネライゼーションコードｃ２の端末はＲＡＮ内セルＩＤ：２の無線リンクを持つ。
【０１１２】
以下、本実施の形態の無線制御システムの動作について説明する。以下の説明では、（１）初期設定の内容、（２）セル（ａ）の端末が個別チャネルを開設する場合、（３）セル（ａ）の端末がセル（ｂ）に進入してブランチを追加する処理を詳細に説明する。
【０１１３】
まず、初期設定の内容について説明する。本実施の形態においては、主基地局８０２は各々に接続されている全ての副基地局１０３のＲＡＮ内セルＩＤを管理する主副基地局対応表９０３を持つ。また、主基地局８０２は、周囲の主基地局８０２の配下の端末とＲＡＮ内セルＩＤとの対応表であるセル端末対応表９０４を持つ。これにより、複数の主基地局８０２に共有される副基地局１０３が収容する端末１０４の上り通信（ＰＲＡＣＨなど）が、同時に複数の主基地局８０２から無線網制御装置８０１に対して中継されることを防止できる。また、副基地局１０３経由で新規に要求を送出する端末の信号を無線網制御装置８０１に対して伝送するか否かを決めるために、新規要求の処理を行う副基地局１０３の情報を持つ。この情報は、副基地局１０３のデフォルトの主基地局８０２を示す情報である。本実施の形態では、第二副基地局１０３ｂのデフォルトの主基地局は、第一主基地局であり、第二主基地局８０２ｂは、第二副基地局１０３ｂからの新規呼別チャネルの追加等の処理を行う。一方、第一主基地局８０２ａは、サイトダイバーシチ等の明示的な要求がない限りは、第二副基地局１０３ｂ関連の処理は実施しない。
【０１１４】
以下、基地局８０２の初期設定の処理を説明する。シーケンスは図４と同じである。主基地局８０２の設定が変更された場合、その主基地局８０２は登録予備通知４０１を無線網制御装置１０１に対して出力する。登録予備通知４０１はＮＢＡＰにおいてはＡＵＤＩＴ  ＲＥＱＵＩＲＥＤ  ＩＮＤＩＣＡＴＩＯＮとして実装される。
【０１１５】
登録予備通知４０１を受けると、無線網制御装置８０１は、登録予備通知４０１の送信元の主基地局８０２に登録要求４０２を送信する。本処理は、無線網制御装置８０１の内部では基地局通信部、呼制御部によって実施される。登録要求４０２はＮＢＡＰのＡＵＤＩＴ  ＲＥＱＵＩＲＥＤに対応する。
【０１１６】
なお、登録要求４０２は主基地局８０２からの登録予備通知４０１がない場合も、無線網制御装置１０１から出力して登録シーケンスを開始することが可能である。主基地局８０２は、登録要求４０２に対して、主基地局８０２自身の主基地局ＩＤ、接続された全ての副基地局１０３のＲＡＮ内セルＩＤとＰＬＭＮ内セルＩＤを無線網制御装置８０１に対して登録応答４０３として出力する。登録応答４０３はＮＢＡＰのＡＵＤＩＴ  ＲＥＳＰＯＮＳＥに対応する。第一主基地局８０２ａの場合、配下のセルが２つあるので、それらのＲＡＮ内セルＩＤである１と２を出力する。
【０１１７】
登録応答４０３を受信すると、無線網制御装置８０１は、ＵＴＲＡＮ制御部が登録応答４０３から各種の識別子を抽出する。
【０１１８】
この場合、第１の実施の形態と異なり、無線網制御装置８０１内では主基地局とＲＡＮ内セルＩＤの関係のみが管理され、異なるＲＡＮ内セルＩＤが同じセルを表している情報が見えない。そのため、無線網制御装置８０１では、主基地局８０２と副基地局１０３の関係が１対多になっているように見える。
【０１１９】
主基地局８０２内の網状態データ９０２に関しては、運用管理システム経由で登録を行うことができる。
【０１２０】
なお、主基地局８０２と副基地局１０３の構成が変更されたときに、周囲の主基地局８０２に対して、構成を変更した主基地局８０２が新たに追加又は削除された副基地局のＲＡＮ内セルＩＤを通知するなどして、周囲の主基地局８０２がその網状態データ９０２を変更することも可能である。
【０１２１】
次に、新規の個別チャネル開設について説明する。本実施の形態においては、無線網制御装置８０１が複数の主基地局８０２ａ、８０２ｂに共有される副基地局１０３ａ、１０３ｂの情報を持たないため、主基地局８０２ａ、８０２ｂのそれぞれが、周囲の主基地局８０２ａ、８０２ｂに接続された副基地局１０３ａ、１０３ｂとその配下の端末１０４の共有情報を把握し、端末１０４に対する要求を適切な主基地局８０２に転送する必要がある。そこで、本実施の形態では、新規の個別チャネル開設時など、副基地局１０３配下の端末１０４が追加・削除・変更される際に、主基地局８０２ａと主基地局８０２ｂとの間の接続を用いて周囲の主基地局８０２にそれらの処理の実行情報を転送する手順が必要になる。
【０１２２】
以下、新規の個別チャネルを開設する処理について図１０を参照しながら説明する。新規個別チャネル開設の場合、端末１０４ａは無線網制御装置８０１に対して、第一副基地局１０３ａと第一主基地局８０２ａ経由でシグナリング接続開設要求１００１を出力する。３ＧＰＰではＲＲＣのＲＲＣ  ＣＯＮＮＥＣＴＩＯＮ  ＲＥＱＵＥＳＴを使用する。
【０１２３】
次に、無線網制御装置８０１は、第一主基地局８０２ａに無線リンク追加要求１００２を送信する。３ＧＰＰでは、ＮＢＡＰのＲＡＤＩＯ  ＬＩＮＫ  ＳＥＴＵＰ  ＲＥＱＵＥＳＴを使用する。これに対し、第一主基地局８０２ａ内では、信号１００３で端末１０４ａとの間の通信処理を開始すると共に、要求された無線リンク追加応答１００４を無線網制御装置８０１に対して出力する。３ＧＰＰでは、ＮＢＡＰのＲＡＤＩＯ  ＬＩＮＫ  ＳＥＴＵＰ  ＲＥＳＰＯＮＳＥを使用する。
【０１２４】
このとき、第一主基地局８０２ａは隣接セル端末追加情報１００５として、端末１０４ａのチャネライゼーションコードｃ１を第二主基地局８０２ｂに送出する。第二主基地局８０２ｂは第一主基地局８０２ａと配下の端末を管理する端末収容主基地局リスト９０６を持ち、この場合は隣接セル端末追加情報１００５に含まれるチャネライゼーションコードを格納する。その後、無線網制御装置８０１と第一副基地局１０３ａとの間で、信号１００６で示される個別チャネル通信が開始される。
【０１２５】
無線網制御装置８０１は、無線リンク追加応答１００４を受け取ると、端末１０４ａに対して、追加した無線リンクの識別子を用いてシグナリング接続開設設定１００７を出力する。これは、３ＧＰＰ  ＲＲＣのＲＲＣ  ＣＯＮＮＥＣＴＩＯＮ  ＳＥＴＵＰに該当する。端末１０４ａは、副基地局１０３ａとの通信を開始した後、シグナリング接続開設完了応答１００８を送信する。これは、３ＧＰＰ  ＲＲＣのＲＲＣ  ＣＯＮＮＥＣＴＩＯＮ  ＳＥＴＵＰ  ＣＯＭＰＬＥＴＥに該当する。その結果、信号１００９に示されるように、端末１０４ｂから第一副基地局１０３ａに対して通信が開始される。以上が個別チャネル開設時の処理である。
【０１２６】
続いて、個別チャネルの削除の処理について説明する。以下の説明では、対応する３ＧＰＰのプロトコルとメッセージを適宜かっこ内に記述する。
【０１２７】
無線網制御装置８０１は、端末１０４ａにシグナリング接続削除要求１０１０（ＲＲＣ：ＲＲＣ  ＣＯＮＮＥＣＴＩＯＮ  ＲＥＬＥＡＳＥ）を送信する。これを受けて、端末１０４ａは、通信処理を停止し、シグナリング接続削除応答１０１１（ＲＲＣ：ＲＲＣ  ＣＯＮＮＥＣＴＩＯＮ  ＲＥＬＥＡＳＥ  ＣＯＭＰＬＥＴＥ）を送信する。この後、無線網制御装置８０１は、無線リンク削除要求１０１２（ＮＢＡＰ：ＲＡＤＩＯ  ＬＩＮＫ  ＤＥＬＥＴＩＯＮ  ＲＥＱＵＥＳＴ）を第一主基地局８０２ａに送信する。
【０１２８】
これを受けて、第一主基地局８０２ａは、隣接セル端末削除情報１０１４として、端末１０４ａのチャネライゼーションコードｃ１を第二主基地局８０２ｂに送出する。第二主基地局８０２ｂは、隣接セル端末削除情報に含まれるチャネライゼーションコードと対応するＲＡＮ内セルＩＤを削除する。
【０１２９】
第一主基地局８０２ａは以上の処理が終了すると、無線リンク削除応答１０１５（ＮＢＡＰ：ＲＡＤＩＯ  ＬＩＮＫ  ＤＥＬＥＴＩＯＮ  ＲＥＳＰＯＮＳＥ）を無線網制御装置８０１に送信する。
【０１３０】
以上のように、各主基地局８０２どうしが接続され、チャネル接続時または削除時に、他の主基地局８０２に端末１０４の接続状態を通知するので、各主基地局８０２は他の主基地局８０２に接続された端末の状態を管理できる。これにより、以下に説明するように、効率的なサイトダイバーシチを実現可能となる。
【０１３１】
次に、端末がセル（ａ）からセル（ｂ）に移動する場合の無線制御システムの動作について図１１を参照しながら説明する。
【０１３２】
信号１１０１は、端末１０４ａの初期状態を示す。無線網制御装置８０１は、第一主基地局８０２ａと第一副基地局１０３ａとを介してセル（ａ）内にある端末１０４ａと通信を行っている。
【０１３３】
次に、端末１０４ａがセル（ｂ）に進入し、端末１０４ｂの位置に到達する（イベント１１０２）と、端末１０４ｂは、第一副基地局１０３ａから受信したパイロット信号と第二副基地局１０３ｂから受信したパイロット信号のそれぞれについて受信電力情報を電力測定報告１１０３として無線網制御装置８０１に送信する。
【０１３４】
無線網制御装置８０１は、イベント１１０４において、電力測定報告１１０３で報告される第二副基地局１０３ｂから端末１０４ｂへの信号強度が十分大きいと判断すると、ブランチ追加処理を開始する。このとき、電力測定報告１１０３では、セル（ｂ）はＰＬＭＮ内セルＩＤ：（ｂ）を用いて表される。
【０１３５】
ブランチ追加処理では、無線網制御装置８０１がセル（ｂ）と対応する第二主基地局８０２ｂに対して、端末１０４ｂとの無線リンク追加要求１１０５を出力する。これを受けて、第二主基地局８０２ｂはこの移動において主基地局内サイトダイバーシチが可能かどうかを図１４のフローに従って判定を行う（イベント１１０６）。本実施の形態の場合は、移動元のセル（ａ）と移動先のセル（ｂ）が第一主基地局８０２ａによって共有されているため、主基地局内サイトダイバーシチが可能と判定される。
【０１３６】
以下、この主基地局内サイトダイバーシチ可否判定の詳細を図１４のフロー図を用いて説明する。
【０１３７】
まず、主基地局８０２ｂが、ブランチ追加要求を受信すると（ＳＴ１４０１）、主基地局８０２ｂは、進入セルを共有する主基地局の主基地局ＩＤが格納された進入セル共有主基地局リスト９０５を作成する（ＳＴ１４０２）。本実施の形態では、第二副基地局１０３ｂを第一主基地局８０２ａと第二主基地局８０２ｂが共有しているため、進入セル共有主基地局リスト９０５には第一主基地局８０２ａの主基地局ＩＤ：１が格納される。
【０１３８】
次に、端末１０４ｂのチャネライゼーションコードから、現時点で端末１０４ｂからの無線リンクを収容している全ての主基地局を格納する端末収容主基地局リスト９０６を抽出する。本実施の形態の場合は、端末１０５ｂは移動する前の時点では第一主基地局８０２ａにのみ格納されていたので、端末収容主基地局リスト９０６には主基地局ＩＤ：１だけが格納される。
【０１３９】
主基地局８０２ｂは、主基地局内サイトダイバーシチを実施することが可能な主基地局のリストを抽出する（ＳＴ１４０４）。具体的には、主基地局８０２ｂは、ＳＴ１４０２で作成した進入セル共有主基地局リスト９０５と端末収容主基地局リスト９０６の両方に格納された主基地局ＩＤに対応する主基地局を、主基地内サイトダイバーシチを実行可能な主基地局として抽出する。主基地局８０２ｂは、進入セル共有主基地局リスト９０５と端末収容主基地局リスト９０６の両方に格納された主基地局ＩＤを抽出し、それらを移動先候補リスト９０７として作成する（ＳＴ１４０４）。本実施の形態の場合は、端末１０５ｂは進入セル共有主基地局リスト９０５と端末収容主基地局リスト９０６の両方に格納された主基地局ＩＤ：１が格納される。
【０１４０】
次に、主基地局８０２ｂは、主基地局内サイトダイバーシチの実行可否を判定するため、移動先候補リスト９０７の要素の数と０と比較する（ＳＴ１４０５）。移動先候補リスト９０７の要素数が０より大きい場合は主基地局内サイトダイバーシチの実行が可能であり、ＳＴ１４０６に進む。それ以外の場合はＳＴ１４０９へ進み、主基地局間サイトダイバーシチを実行する。本実施の形態の場合は、移動先候補リスト９０７の要素の数は１であるため、ＳＴ１４０６へ進む。
【０１４１】
ＳＴ１４０６、ＳＴ１４０７は、移動先のセルからの無線リンクを収容する主基地局を１つに絞り込む処理である。ＳＴ１４０６では、端末からの無線リンクが最も多い主基地局を抽出する。ＳＴ１４０７では、予め設定された優先度に従い、移動先のセルの無線リンクを収容する主基地局を選択する。優先度の選択方法の例としては、現時点で使用可能なハードウェア資源が多い主基地局や収容することのできる信号のキャリアの種類が多い主基地局が挙げられる。
【０１４２】
本実施の形態の場合は、移動先候補リスト９０７の要素数が１つだけなので、サイトダイバーシチを行う主基地局は第一主基地局８０２ａである。
【０１４３】
ＳＴ１４０９では、第一主基地局８０２ａにおいて主基地局内サイトダイバーシチを実行することを決定する。以上で、図１４のフロー処理の説明を終わる。
【０１４４】
図１１に戻って、イベント１１０６において主基地局内サイトダイバーシチが可能であると判定されると、サイトダイバーシチを行う主基地局８０２に、端末のチャネライゼーションコードとサイトダイバーシチ対象のＲＡＮ内セルＩＤを含む主基地局内サイトダイバーシチ要求１１０７を送信し、その応答を受け取る。
【０１４５】
本実施の形態では、第二主基地局８０２ｂは、第一主基地局８０２ａに対して、端末１０４のチャネライゼーションコードとサイトダイバーシチ対象の第二副基地局１０３ｂを含む主基地局内サイトダイバーシチ要求１１０７を出力し、その応答を受け取る。第一主基地局８０２ａは、信号１１０８に示すように、第二副基地局１０３ｂとの通信処理を開始し、信号１１０９で個別チャネルが確立される。また、第一主基地局８０２ａがチャネル合成処理も開始する（イベント１１１０）。
【０１４６】
以上の処理が終了した後、第二主基地局８０２ｂは無線網制御装置８０１に対して、要求した無線リンクの追加が成功し、かつ追加した無線リンクが第一主基地局８０２ａ内の無線リンクとＭＤＣを実行していることを示す無線リンク追加応答１１１１を出力する。ＮＢＡＰでは、ＲＡＤＩＯ  ＬＩＮＫ  ＡＤＤＩＴＩＯＮ  ＲＥＳＰＯＮＳＥを用いて、さらにその中のＤｉｖｅｒｓｉｔｙ  Ｉｎｄｉｃａｔｉｏｎ  ＩＥに第一主基地局８０２ａから端末１０４ｂへの無線リンクのＩＤをＣｏｍｂｉｎｅｄのＲＬ  ＩＤとして格納する。
【０１４７】
無線網制御装置８０１は、無線リンク追加応答１１１１が送信されると、前記の新規追加分の無線リンクと既存の無線リンクでＭＤＣが行われていることから、基地局８０２ａで主基地局内サイトダイバーシチが実行されていることを認識する。
【０１４８】
無線網制御装置８０１は、端末１０４ｂに、セル（ｂ）を追加するブランチ追加要求１１１２（ＲＲＣ：  ＡＣＴＩＶＥ  ＳＥＴ  ＵＰＤＡＴＥ）を送信する。端末１０４ｂは、ブランチ追加要求１１１２を受けると、セル（ｂ）のスクランブリングコードを用いて個別チャネルの受信を開始し、ブランチ追加が成功したことを示すブランチ追加応答１１１３（ＲＲＣ：  ＡＣＴＩＶＥ  ＳＥＴ  ＵＰＤＡＴＥ  ＣＯＭＰＬＥＴＥ）を出力する。以上でブランチ追加処理が終わる。
【０１４９】
なお、本実施の形態においては、無線リンク追加要求に対して、無線リンク追加応答で応答しているが、この応答は、既存の第一主基地局８０２ａ内の無線リンクとＭＤＣを実行していることを示す情報が含まれていれば他の種類の応答でも良い。
【０１５０】
なお、無線リンク追加応答１１１１に、既存の第一主基地局８０２ａ内の無線リンクとＭＤＣを実行していることを示す情報が含められない場合は、第二主基地局８０２ｂと無線網制御装置８０１の処理方法の組み合わせには、次の２つの方法が考えられる。ｉ）無線リンク追加応答１１１１を無線網制御装置８０１に出力して、第一主基地局８０２ａの無線リンクを無線網制御装置８０１上では第二主基地局８０２ｂの無線リンクと同様に扱う。ブランチ削除時などの無線リンク削除要求は第二主基地局８０２ｂに対して行う。さらに、無線リンク削除により移動元の無線リンクがなくなり、通信中の副基地局１０３が全て自主基地局配下になったら、ＭＤＣを自主基地局で実施するようにする。ｉｉ）無線リンク追加失敗を無線網制御装置８０１に出力する。無線網制御装置８０１はセル（ｂ）に対応する、他のＲＡＮ内セルＩＤを持つ主基地局８０２に対して再度無線リンク追加要求を出力する。この場合は第一主基地局８０２ａに対して無線リンク追加要求を出力し、通常通り主基地局内サイトダイバーシチが実行される。
【０１５１】
以上、本実施の形態において、第二主基地局８０２ｂが周囲の主基地局８０２と副基地局１０３との関係を管理し、端末１０４のブランチ追加要求に対して、適切なチャネル設定を行うことにより、主基地局８０２内のサイトダイバーシチを行うことが可能になり、これにより無線網制御装置８０１と主基地局８０２間のネットワークの帯域と共に無線網制御装置８０１の処理負荷も削減できる。
【０１５２】
なお、本実施の形態で示したシーケンスは実施の一例であり、一部のシーケンスの順番が変わった場合でも同様の効果が得られることは容易に類推できる。
【産業上の利用可能性】
【０１５３】
以上説明したように、本発明は、基地局と無線網制御装置との間のトラフィックを削減すると共に、無線網制御装置の負荷を軽減できるというすぐれた効果を有し、移動体通信システムの無線アクセス網における通信技術およびハンドオーバー技術等として有用である。
【図面の簡単な説明】
【０１５４】
【図１】第１の実施の形態における無線アクセス網の全体構成図
【図２】第１の実施の形態における無線網制御装置の構成図
【図３】第１の実施の形態における基地局管理表のデータフィールド図
【図４】第１の実施の形態における処理のシーケンス図
【図５】第１の実施の形態における処理のシーケンス図
【図６】第１の実施の形態における処理のシーケンス図
【図７】第１の実施の形態における移動先選択処理のフロー図
【図８】第２の実施の形態における無線アクセス網の全体構成図
【図９】第２の実施の形態における主基地局の構成図
【図１０】第２の実施の形態における処理のシーケンス図
【図１１】第２の実施の形態における処理のシーケンス図
【図１２】第２の実施の形態における主副基地局対応表のデータ図
【図１３】第２の実施の形態におけるセル端末対応表のデータ図
【図１４】第２の実施の形態における移動先選択処理のフロー図
【図１５】従来技術における無線アクセス網の全体構成図
【図１６】従来技術における無線網制御装置構成図
【図１７】従来技術における主基地局構成図
【図１８】従来技術における副基地局構成図
【図１９】従来技術におけるＡｃｔｉｖｅ  Ｓｅｔのデータフィールド図
【図２０】従来技術における基地局対応表のデータフィールド図
【図２１】従来技術における移動先選択処理のフロー図
【符号の説明】
【０１５５】
１０１  無線網制御装置
１０２ａ  第一主基地局
１０２ｂ  第二主基地局
１０３ａ  第一副基地局
１０３ｂ  第二副基地局
１０４ａ  端末（移動前）
１０４ｂ  端末（移動後）
１０５ａ  セル（ａ）
１０５ｂ  セル（ｂ）
１０６ａ  通信路
１０６ｂ  通信路
１０７ａ  通信路
１０７ｂ  通信路
１０７ｃ  通信路
２０１  基地局通信部
２０２  ＵＴＲＡＮ制御部
２０３  全体制御部
２０４  網状態データ
２０５  端末管理表
２０６  基地局管理表
２０７  移動先候補リスト
８０１  無線網制御装置
８０２ａ  第一主基地局
８０２ｂ  第二主基地局
９０１  主基地局通信部
９０２  網状態データ
９０３  主副基地局管理表
９０４  セル端末管理表
９０５  進入セル共有主基地局リスト
９０６  端末収容主基地局リスト
９０７  移動先候補リスト
１５０１  無線網制御装置
１５０２ａ  第一主基地局
１５０２ｂ  第二主基地局
１５０３ａ  第一副基地局
１５０３ｂ  第二副基地局
１５０４ａ  端末（移動前）
１５０４ｂ  端末（移動後）
１５０５ａ  セル（ａ）
１５０５ｂ  セル（ｂ）
１６０１  基地局通信部
１６０２  ＵＴＲＡＮ制御部
１６０３  全体制御部
１７０１  無線網制御装置通信部
１７０２  ベースバンド処理部
１７０３  無線リンク制御部
１７０４  副基地局通信部
１８０１  主基地局通信部
１８０２  送受信制御部
１８０３  無線通信部
【図１】
0004642384.tif 000002
【図２】
0004642384.tif 000003
【図３】
0004642384.tif 000004
【図４】
0004642384.tif 000005
【図５】
0004642384.tif 000006
【図６】
0004642384.tif 000007
【図７】
0004642384.tif 000008
【図８】
0004642384.tif 000009
【図９】
0004642384.tif 000010
【図１０】
0004642384.tif 000011
【図１１】
0004642384.tif 000012
【図１２】
0004642384.tif 000013
【図１３】
0004642384.tif 000014
【図１４】
0004642384.tif 000015
【図１５】
0004642384.tif 000016
【図１６】
0004642384.tif 000017
【図１７】
0004642384.tif 000018
【図１８】
0004642384.tif 000019
【図１９】
0004642384.tif 000020
【図２０】
0004642384.tif 000021
【図２１】
0004642384.tif 000022